(57)【特許請求の範囲】
【請求項１】
吸気口及び吹出口を有し、内部に吸気口から吹出口に至る送風路を形成したケース本体と、前記送風路に配設されたファンと、前記吸気口から吸引された空気を熱交換する熱交換器と、該熱交換器の上部を支持する支持板と、前記熱交換器で熱交換された空気を、熱交換器の上方に形成された吹出口へ導くエアーガイドとを備え、前記エアーガイドに、エアーガイドと支持板との間に密閉空間を形成するリブを形成し、前記密閉空間に電装品の配設された基板を収納したことを特徴とする空気調和機。
【請求項２】
吸気口及び吹出口を有し、内部に吸気口から吹出口に至る送風路を形成したケース本体と、前記送風路に配設されたファンと、前記吸気口から吸引された空気を熱交換する熱交換器と、該熱交換器の上部を支持する支持板と、前記熱交換器で熱交換された空気を、熱交換器の上方に形成された吹出口へ導くエアーガイドとを備え、前記支持板に、支持板とエアーガイドとの間に密閉空間を形成するリブを形成し、前記密閉空間に電装品の配設された基板を収納したことを特徴とする空気調和機。
【請求項３】
前記支持板及び前記エアーガイドを難燃材料又は不燃性材料で形成したことを特徴とする請求項１又は請求項２記載の空気調和機。
【発明の詳細な説明】
【０００１】
【発明の属する技術分野】
本発明は、除湿機、冷風機及びエアコン等の空気調和機に関する。
【０００２】
【従来の技術】
従来、除湿機、冷風機及びエアコン等の空気調和機に用いられている制御部は、種々の電装品を有しているため、不慮の事故等により発熱し、発火する場合がある。このため制御部を容器に収納して装置全体に延焼するのを防止することが行われている（特公平７−１８５７２号公報参照）。
【０００３】
【発明が解決しようとする課題】
しかしながら、制御部を収納する容器を別途用意しているので部品点数が増えると共に、組立て工数が増えて装置のコストアップの要因となっていた。
【０００４】
そこで本発明は、部品点数及び組立て工数が少なく、かつ、耐火性のある制御部の容器を持つ空気調和機を提供することを目的とする。
【０００５】
【課題を解決するための手段】
【０００６】
上記課題を解決するために第１の本発明は、吸気口及び吹出口を有し、内部に吸気口から吹出口に至る送風路を形成したケース本体と、前記送風路に配設されたファンと、前記吸気口から吸引された空気を熱交換する熱交換器と、該熱交換器の上部を支持する支持板と、前記熱交換器で熱交換された空気を、熱交換器の上方に形成された吹出口へ導くエアーガイドとを備え、前記エアーガイドに、エアーガイドと支持板との間に密閉空間を形成するリブを形成し、前記密閉空間に電装品の配設された基板を収納したことを特徴とする。
【０００７】
また、第２の発明は、吸気口及び吹出口を有し、内部に吸気口から吹出口に至る送風路を形成したケース本体と、前記送風路に配設されたファンと、前記吸気口から吸引された空気を熱交換する熱交換器と、該熱交換器の上部を支持する支持板と、前記熱交換器で熱交換された空気を、熱交換器の上方に形成された吹出口へ導くエアーガイドとを備え、前記支持板に、支持板とエアーガイドとの間に密閉空間を形成するリブを形成し、前記密閉空間に電装品の配設された基板を収納したことを特徴とする。
【０００８】
そして第３の発明は、前記支持板及び前記エアーガイドを難燃材料又は不燃性材料で形成したことを特徴とする。
【０００９】
【発明の実施の形態】
本発明の実施の形態を図面に基づき説明する。図１は、本発明にかかる空気調和機の概略構成を示し、図２はその要部の拡大図である。なお、以下の説明では、空気調和機として、除湿機を例に説明するが、本発明はこれに限定されるものではなく、冷風機、エアコン等にも適用できることを付言する。
【００１０】
除湿機は、吸気口１４を有した前ケース２、当該前ケース２に対向して配設された後ケース４を有して、これらが組み合わされてケース本体を構成している。前ケース２上部には、装置の動作を指示する操作パネル１１が配設され、また除湿された風が吹き出される吹出口１２及び外気を吸い込む吸気口１４がこの順序で下部に向かって配設されている。
【００１１】
ケース本体の内部下部には、作動ガスを圧縮する圧縮機２０及び除湿した水を樋１９により集めて溜める除湿水タンク１６が配設され、その上部にはファン２１、熱交換器である凝縮器１７及び蒸発器１８、フィルタ１５が吸気口１４に向かって順次配設されてる。
【００１２】
なお凝縮器１７及び蒸発器１８は、支持板３０により支持されている。支持板３０は、凸部３２を有して、前ケース２の凹部１３と嵌合することにより固定される。また支持板３０の上面には、当該支持板３０と一体に形成されて上方が開口した容器を成すリブ５０（以下容器という）が設けられ、当該容器５０に複数の電装品からなる制御部５１が収納されている。容器５０は、ファン２１から送られる風を導くためのエアーガイド４０により蓋されている。
図１における点線矢印は、ファン２１から吹出口１２にいたる送風路を示している。
【００１３】
このエアーガイド４０は係合手段を持ち、当該係合手段は、吹出口１２側に設けられた楔状の係止部４１と、容器５０の図示しない左右の側板及び後側板３４と嵌合する嵌合突起部４３とを有している。
【００１４】
さらに、エアーガイド４０の後部には、鉛直に設られて支持板３０と当接する規制板４４が設けられ、当該規制板４４には穴が設けられている。この穴にネジ２２を挿通して支持板３０に螺合させることにより、エアーガイド４０を前ケース２側に押え込むと共に、エアーガイド４０の後部が浮き上がらないように固定している。これにより制御部５１が配設されている空間は、略密閉状態となる。
【００１５】
なお制御部５１における電装品、特にトランスは多量の熱を発するので、当該熱が支持板３０やエアーガイド４０に直接伝わらないように、制御部５１の基板が支持板３０に設けられた保持台３１に載置される共に、電装品とエアーガイド４０とが所定の隙間を持つように形成されている。
またエアーガイド４０及び支持板３０は、難燃材料の樹脂等または不燃性材料の金属等により作られている。
【００１６】
上記容器５０により電装品を収納する容器を組み立てる際には、まずエアーガイド４０の後部を上方に持ち上げて傾けた状態で、当該エアーガイド４０の係止部４１を吹出口１２の端部と正面側板３３との間に挿入する。この時の挿入は、吸気口１４の端部が係止部４１の突当４２に当接まで差し込まむ。この後、エアーガイド４０の後部を押し下げ、規制板４４の穴にネジ２２を挿通させ、当該ネジ２２を支持板３０に螺合することにより組み立てられる。
【００１７】
このように組み立てられると、係止部４１が楔状になっているため、吹出口１２の端部により下方に付勢される。即ち、当該係止部４１は正面側板３３に押しつけられて密接する。また容器５０の後部を押し下げ、ネジ２２で固定することにより、当該ケース５０の後側板３４及び左右側板の上端がエアーガイド４０の嵌合突起部４３の付根部に密接するようになる。
【００１８】
以上により、容器５０は密封される。しかも容器５０は、支持板３０とエアーガイド４０とを利用して構成されるので、別途専用の部材を準備する必要がなく、またエアーガイド４０の取り付けと同時に容器５０が形成されるので組立作業が容易となり、装置のコストダウンが可能になる。
【００１９】
上記構成の除湿器は、操作パネル１１からの指示を受けて制御部５１が各動作に適応した制御を行う。除湿動作は、圧縮機２０により作動ガスが断熱圧縮されてホットガスとなり、これが凝縮器１７に送られて外気と熱交換して液化冷媒となる。この液化冷媒は蒸発器１８に送られて膨張することにより低温冷媒となる。このときファン２１により吸気口１４から吸気された外気は、フィルタ１５を介して蒸発器１８に送風される。当該蒸発器１８で外気は熱交換して冷却され、これにより当該外気に含まれる水分が結露して乾燥外気となる。この乾燥外気の温度は低くなっているので、蒸発器１８の後方に配設された凝縮器１７を通ることにより温められ、エアーガイド４０にガイドされて吹出口１２から機外に送風される。
【００２０】
なお結露した水は、蒸発器１８に沿って滴下し、樋１９により集められて除湿水タンク１６に溜められる。
【００２１】
次に、上記制御部５１が何らかの原因により異常発熱した場合について説明する。ケース５０は密接状態にあるので、制御部５１の電装品が発火しても酸素欠乏状態となる。従って、直に鎮火してしまう。例え、電装品が焼失するまで火が消えなくとも、ケース５０を構成する支持板３０及びエアーガイド４０が難燃材料又は不燃性材料であるため装置全体が火災を起こすことがない。
【００２２】
さらに、当該容器５０の蓋がエアーガイド４０であるため、当該エアーガイド４０を通る風によりエアーカーテンができ、制御部５１の熱が直接装置に伝わることが防止される。
【００２３】
なお上記説明においては、制御部５１の容器５０の密封は容器５０の側板３３３４にエアーガイド４０の係合手段が当接することにより達成された場合について述べたが、係合手段の構造は図１に示す構造に限られず図３に示すようなものであってもよい。
図３に示す係合機構は、嵌合突起部１０３の後側板１２３側の端部がテーパ状に面取りされ、またその付け根には傾斜面１０３ａが設けられている。一方、後側板１２３及び左右側板の端部には、傾斜面１０３ａに対面する当接面１２３ａが設けられている。これによりエアーガイド４０の後部を下方に押付けて当該エアーガイド４０をネジ２２により固定すると、傾斜面１０３ａに当接面１２３ａが当接して機密性が保たれる。
なおリブ５０を支持板３０に設けた場合について説明したが、エアーガイド４０に設け、支持板３０に嵌合突起部１０３を設けてもよい。
【００２４】
上記説明においては、密閉空間を構成する際に、支持板に設けたリブの容器とエアーガイドの蓋により密閉空間を構成したが、本発明はこれに限定されず、エアーガイドにリブを設けて下方に開口した容器とし、支持板が蓋になるように構成しても良い。
さらに、電装品の基板は、支持板に載置する場合について述べたが、エアーガイドに取り付けても良い。
【００２５】
【発明の効果】
【００２６】
第１の発明によれば、エアーガイドにリブを形成して、支持板との間に密閉空間を形成するようにしたので、当該密閉空間を構成するために専用の部材が不要で、かつ、耐火災のある電装品を収納する容器を持つ空気調和機が安価に製造可能となった。
またエアーガイド及び支持板の取付けと同時に密閉空間が構成されるので、密閉空間を独自に設ける場合に比べ、装置の組立て工数が減り、これにより安価な空気調和機の製造が可能になった。
【００２７】
第２の発明によれば、支持板にリブを形成して、支持板とエアーガイドとの間に密閉空間を形成するようにしたので、当該密閉空間を構成するために専用の部材が不要で、かつ、耐火災のある電装品を収納する容器を持つ空気調和機が安価に製造可能となった。
またエアーガイド及び支持板の取付けと同時に密閉空間が構成されるので、密閉空間を独自に設ける場合に比べ、装置の組立て工数が減り、これにより安価な空気調和機の製造が可能になった。
【００２８】
第３の発明によれば、支持板及びエアーガイドを難燃材料又は不燃性材料で形成したので、耐火災容器を持つ空気調和機が安価に製造可能になった。
【図面の簡単な説明】
【図１】本発明にかかる空気調和機の側面構成図である。
【図２】図１の要部拡大図である。
【図３】本発明にかかる制御部を収納する容器の密閉機構の他の例を示す図である。
【符号の説明】
１２  吹出口
１４  吸気口
１７  凝縮器
１８  蒸発器
２０  圧縮機
２１  ファン
３０  支持板
３２  保持台
３３  前側板
３４  後側板
４０  エアーガイド
４１  係止部
４３  嵌合突起部
５０  ケース
【図１】
0003802121.tif 000002
【図２】
0003802121.tif 000003
【図３】
0003802121.tif 000004